(57)【要約】【課題】回転操作部への操作を規制することにより防犯性能を向上させ、かつ、使い勝手も良好なサムターン装置の提供を目的とする。【解決手段】扉体１の室内側壁面に固定されたサムターンケース２に対して回転自在で、扉体１内に固定される箱錠３のデッドボルト３ａを進退操作するサムターン軸４ａを有するサムターン装置であって、前記サムターン軸４ａの施錠回転位置から解錠回転位置への回転操作が、該サムターン軸４ａに連結される回転操作部４の回転中心線方向への移動を条件に許容される。【選択図】　図１
2004068580.tif 000002
【特許請求の範囲】
【請求項１】
扉体の室内側壁面に固定されたサムターンケースに対して回転自在で、扉体内に固定される箱錠のデッドボルトを進退操作するサムターン軸を有するサムターン装置であって、
前記サムターン軸の施錠回転位置から解錠回転位置への回転操作が、該サムターン軸に連結される回転操作部の回転中心線方向への移動を条件に許容されるサムターン装置。
【請求項２】
前記回転操作部とサムターン軸との間には、回転操作部の回転中心線方向への移動に伴ってサムターン軸と回転操作部とを係脱させるクラッチ部が介装される請求項１記載のサムターン装置。
【請求項３】
前記サムターン軸が回転操作部に一体形成されるとともに、
前記サムターンケースには、施錠回転位置にある回転操作部に係止して該回転操作部の回転操作を禁止するロック操作部が設けられ、
回転操作部は、扉体に対する進退操作によりロック操作部との係止を解除した際に回転操作可能となる請求項１記載のサムターン装置。
【請求項４】
扉体の室内側壁面に固定されたサムターンケースに対して回転自在で、扉体内に固定される箱錠のデッドボルトを進退操作する回転操作部を有するサムターン装置であって、
前記回転操作部、またはサムターンケースのいずれか一方には、回転操作部が施錠回転位置にある際に他方に形成される係止部に係止して回転操作部の回転操作を禁止するロック操作部が係止解除操作可能に設けられるサムターン装置。
【発明の詳細な説明】
【０００１】
【発明の属する技術分野】
本発明は、扉錠に使用されるサムターン装置に関するものである。
【０００２】
【従来の技術】
一般に扉錠は、扉体内に固定された箱錠と、箱錠に装着されたデッドボルトを操作するためのシリンダ錠、およびサムターン装置とから構成される。サムターン装置は、扉体の屋内側壁面に装着されるサムターンケースと、サムターンケースに対して回転自在な回転操作部を備え、回転操作部を回転させることにより箱錠内のデッドボルトを進退操作できる。
【０００３】
しかし、上述した従来例において、扉体の一部、例えばガラス面を破壊した後、屋外から回転操作部に回転操作を加えるだけでデッドボルトを操作し、扉体の施錠状態を解除することが可能なために、防犯性能に劣るという問題がある。
【０００４】
また、このような問題を解決するために、例えば、特許文献１記載のもののように、サムターンと箱錠との連結状態をねじにより空転状態とすることにより、サムターンの回転操作部への回転操作力が箱錠側に伝達されないように構成するものも提案されている。
【０００５】
しかし、この従来例においては、サムターンによる施解錠操作をするたびに、ねじへの操作が必要となるために、使い勝手が悪いという欠点がある。
【０００６】
【特許文献１】特開２００１−２９５５１５号公報
【０００７】
【発明が解決しようとする課題】
本発明は、以上の欠点を解消すべくなされたものであって、回転操作部への操作を規制することにより防犯性能を向上させ、かつ、使い勝手も良好なサムターン装置の提供を目的とする。
【０００８】
【課題を解決するための手段】
本発明によれば上記目的は、
扉体１の室内側壁面に固定されたサムターンケース２に対して回転自在で、扉体１内に固定される箱錠３のデッドボルト３ａを進退操作するサムターン軸４ａを有するサムターン装置であって、
前記サムターン軸４ａの施錠回転位置から解錠回転位置への回転操作が、該サムターン軸４ａに連結される回転操作部４の回転中心線方向への移動を条件に許容されるサムターン装置を提供することにより達成される。
【０００９】
サムターン装置Ａは、扉体１の室内側壁面に固定され、サムターンケース２に対して回転操作自在な回転操作部４を操作することによりサムターン軸４ａを回転させて箱錠３のデッドボルト３ａを進退操作し、扉体１を施解錠する。サムターン軸４ａを解錠回転位置側に回転操作するためには、一旦回転操作部４を、サムターン軸４ａ方向、すなわち、回転操作部４の回転中心線方向に移動させる必要がある。
【００１０】
この結果、例えば、ガラス面が外部から破断された場合であっても、室内側のサムターン装置Ａの回転操作部４を回転操作して扉体１を解錠するためには、一旦回転操作部４を扉体１に対して引っ張り、あるいは押し付け方向に移動させる必要があるために、室内への侵入には手間がかかるために、防犯性が向上する。とりわけ、扉体１に明けた操作孔からワイヤ、あるいは工具等を挿入し、サムターン装置Ａの回転操作部４を直接回転操作しようとする場合には、ワイヤ等による回転操作部４への回転力の付与は可能であるが、扉体１に対する直交方向への移動操作は一般に困難であるために、デッドボルト３ａの操作に際してこのような操作が必要となる本発明においては、不正操作が非常に困難になる。また、解錠操作を行うためには、サムターン装置Ａの回転操作部４を引きながら、あるいは押しながら回転させるだけでよいために、操作性を悪化させることもない。
【００１１】
引き出し、あるいは押し込み操作を行った場合にのみ回転操作部４でのサムターン軸４ａの回転を許容することは、回転操作部４とサムターン軸４ａとの間にクラッチ部１０を介装させることにより達成できる。この場合、クラッチ部１０は、回転操作部４に対する引き出し、あるいは押し込み操作に伴って、回転操作部４とサムターン軸４ａとを連結させるように構成され、押し込み操作等を行うことなく回転操作部４に回転操作力を与えても、回転操作部４はサムターン軸４ａに対して空転し、デッドボルト３ａは操作されない。
【００１２】
また、引き出し、あるいは押し込み操作を行った場合にのみ回転操作部４でのサムターン軸４ａの回転を許容するサムターン装置Ａは、
サムターン軸４ａが回転操作部４に一体形成されるとともに、
前記サムターンケース２には、施錠回転位置にある回転操作部４に係止して該回転操作部４の回転操作を禁止するロック操作部６が設けられ、
回転操作部４は、扉体１に対する進退操作によりロック操作部６との係止を解除した際に回転操作可能となるように構成することができる。
【００１３】
さらに、サムターン装置Ａは
扉体１の室内側壁面に固定されたサムターンケース２に対して回転自在で、扉体１内に固定される箱錠３のデッドボルト３ａを進退操作する回転操作部４を有するサムターン装置であって、
前記回転操作部４、またはサムターンケース２のいずれか一方には、回転操作部４が施錠回転位置にある際に他方に形成される係止部５に係止して回転操作部４の回転操作を禁止するロック操作部６が係止解除操作可能に設けられる構成することができる。
【００１４】
これらサムターン軸４ａと回転操作部４とを一体に形成する場合には以下の利点がある。すなわち、一般に箱錠３は、同一のデッドボルト操作軸３ｂをサムターン装置Ａ側とシリンダ錠７側の双方から操作するように構成され、シリンダ錠７側からデッドボルト３ａを操作する際には、サムターン装置Ａの回転操作部４も回転するように形成される。したがって、ロック操作部６と係止部５とを係止状態にしておくと、例えば、室外からシリンダ錠７がピッキング操作により解錠しようとしても、回転操作部４の回転が禁止されているためにデッドボルト操作軸３ｂを操作することが不可能となる。このため、就寝時等においてシリンダ錠７がピッキング操作等により不正解錠されることによる強盗被害も有効に防止できる。
【００１５】
ロック操作部６の係止部５への係止操作には、種々の機構が採用でき、例えば、ロック操作部６を回転操作部４に一体形成する場合には、ロック操作部６の係脱操作に回転操作部４の引き出し操作、すなわち、回転操作部４の回転中心線方向への進退操作を利用できる。この場合、
回転操作部４は、扉体１側に付勢されるとともに、扉体１の室外側壁面に固定されるシリンダ錠７への解錠キー８の挿入により扉体１から離隔方向に移動してロック操作部６の係止部５との係止が解除されるように構成することができる。
【００１６】
この構成において、ロック操作部６の係止部５との係脱は回転操作部４の進退動作により行われ、扉体１側に付勢される回転操作部４が施錠回転位置に移動すると、回転操作部４に一体形成されるロック操作部６が係止部５に落ち込んで自動的に係止状態なる。この結果、外出時にシリンダ錠７を施錠すると、上述したデッドボルト操作軸３ｂを介して回転操作部４も施錠回転位置まで回転し、回転操作部４も自動的に拘束状態となる。一方、帰宅時にシリンダ錠７を回転操作するために解錠キー８を挿入すると、回転操作部４が扉体１から離隔方向に押しやられる結果、ロック操作部６の係止が解除され、さらに、シリンダ錠７への解錠方向への回転操作により回転操作部４もともに回転し、扉体１を開放できる。さらに、外部からのピッキング操作により解錠するためには、タンブラへの不正操作に加え、回転操作部４への押し出し操作が必要となるために、不正解錠操作に対する耐性も高まる。
【００１７】
さらに、ロック操作部６はサムターンケース２側に配置することも可能であり、この場合、ロック操作部６はサムターン装置Ａ外方から操作可能な位置に配置される。
【００１８】
ロック操作部が移動操作可能に配置される構成において、回転操作部がサムターンケースに対して回転操作部の回転中心方向に進退しない実施例に採用する場合には、ロック操作部が突出状態で回転操作部の回転操作を禁止し、ピッキング操作における解錠が防止される。
【００１９】
一方、回転操作部が進退可能な実施例に採用する場合には、ロック操作部材が押し込まれた状態においても回転操作部材の回転操作を禁止でき、回転操作部材を引き出さなければ回転操作できないため、外部から直ちに回転部材を操作することができず、また、ピッキング操作も困難となる。ロック操作部材の突出状態では回転操作部を引き出しても係止を解除することができないためピッキング操作による解錠が防止される。
【００２０】
【発明の実施の形態】
図１に扉錠が装着された扉体１の断面図を示す。この実施の形態において、扉錠は、扉体１内に固定される箱錠３と、扉体１の屋外側壁面に固定されるシリンダ錠７と、扉体１の屋内側壁面に固定されるサムターン装置Ａとを有する。
【００２１】
箱錠３は、扉体１の厚み方向を向く回転軸周りに回転自在なデッドボルト操作軸３ｂと、該デッドボルト操作軸３ｂへの回転操作力をデッドボルト３ａの進退操作に変換する変換部３ｃとを備え、デッドボルト操作軸３ｂを回転させることによりデッドボルト３ａを扉体１開放端面からドア枠側（紙面に対し垂直方向）に進退させることができる。
【００２２】
シリンダ錠７は、所定の解錠コードを備えた解錠キー８によってのみ回転操作可能なロータ７ａを有する。ロータ７ａの先端はクラッチ機構７ｂを介してデッドボルト操作軸３ｂに連結されており、ロータ７ａの解錠回転位置、あるいは施錠回転位置への回転操作に対してデッドボルト操作軸３ｂを追随させ、ロータ７ａの中立位置方向への回転操作に対してロータ７ａとデッドボルト操作軸３ｂとの連結が解除される。また、クラッチ機構７ｂは、デッドボルト操作軸３ｂ側からの力の伝達を切断し、後述する回転操作部４のみの回転操作を可能にする。
【００２３】
サムターン装置Ａは、扉体１の室内側壁面に固定されるサムターンケース２と、このサムターンケース２に回転自在に連結される回転操作部４とを有する。回転操作部４は、サムターンケース２の正面壁を覆うように配置され、正面部に三角形状の切欠（ロック操作部６）が設けられ、後述するサムターンケース２側の係止部５が嵌合する。
【００２４】
また、回転操作部４の中心裏面には、サムターン軸４ａが突設される。サムターン軸４ａは、上記デッドボルト操作軸３ｂに長手方向移動自在に回転方向に連結され、回転操作部４を施錠方向（図１（ｂ）において反時計回り）に回転させてデッドボルト３ａを突出方向に移動させることができる。さらに、回転操作部４はサムターン軸４ａの長手方向に移動自在であり、コイルスプリング９により箱錠３側に付勢される。
【００２５】
一方、サムターンケース２は、正面部に突出する係止部５を備える。係止部５は、上記回転操作部４の切欠６に嵌合可能な三角形状に形成され、外部表面には施錠確認用模様５ａが形成される。この係止部５は、上記回転操作部４が施錠回転位置にあるときに切欠６に合致する位置に設けられる。
【００２６】
したがってこの実施の形態において、図１に示すように、サムターン装置Ａの回転操作部４が施錠回転位置にある場合には、切欠６が合致する係止部５は回転操作部４の扉体１側への移動を許容し、係止部５と切欠６が係止状態となる。この状態で、切欠６の辺縁は係止部５の辺縁に当接するために、回転操作部４を回転操作することができない。
【００２７】
回転操作部４を解錠回転位置側に回転させてデッドボルト３ａを解錠状態とするためには、図２に示すように、コイルスプリング９の付勢力に抗して一旦回転操作部４を扉体１から離隔する方向（図２（ａ）における矢印Ａ４方向）に引き出す必要がある。回転操作部４の引き出し操作により、切欠６は係止部５から離脱するために、回転操作部４の回転が可能となり、この状態で図３に示すように、回転操作部４を解錠回転位置まで回転させた後、回転操作部４への操作力を解除すると、図４に示すように、回転操作部４はコイルスプリング９の復元力により再び扉体１側に移動する。解錠回転位置においては、回転操作部４の裏面壁面が係止部５の表面に摺接した状態となるために、回転操作部４の施錠回転位置方向への回転操作は自由に行うことができる。
【００２８】
なお、この実施の形態において、サムターンケース２には解錠状態表示部２ａが設けられ、回転操作部４を解錠回転位置まで回転させたときに、切欠６部に該解錠状態表示部２ａが表示される。このように、ロック操作部６を切欠状、あるいは孔状に形成し、係止部５を嵌合し、嵌合時に係止部５の頭部が回転操作部４の外部から目視可能にすると、回転操作部４の状態を利用者に容易に識別させることができるために、使い勝手が向上する。
【００２９】
また、以上においては、屋内側から回転操作部４を操作する場合を示したが、図２、３において鎖線で示すように、シリンダ錠７側に挿入される解錠キー８によって回転操作部４を扉体１に対して離接方向に駆動することもできる。この場合、図２（ａ）に示すように、解錠キー８を挿入すると、該解錠キー８により回転操作部４のサムターン軸４ａが室内側に押されて切欠６と係止部５との係止が解除され、図３に示す解錠回転位置において解錠キー８を抜去すると、図４に示す状態に移行する。
【００３０】
なお、図２においては、解錠キー８により直接サムターン軸４ａを押し出す構成が示されているが、シリンダ端部に解錠キー８の挿入により扉体１の厚み方向に移動する操作部材を装着しておくことも可能である。
【００３１】
図５に本発明の第２の実施の形態を示す。なお、以下の実施の形態の説明において、上述した実施の形態と実質的に同一の構成要素は、図中に同一符号を付して説明を省略する。
【００３２】
この実施の形態において、回転操作部４には、上述した実施の形態と同一形状で、係止部５として機能する切欠が設けられ、サムターンケース２には、上記切欠５に嵌合可能な正面視三角形状のロック操作部６が設けられる。ロック操作部６は、扉体１に対して離接方向に移動自在であり、押圧操作毎に、扉体１に接近するアンロック位置と、扉体１から離隔するロック位置との間を移動する。
【００３３】
したがってこの実施の形態において、図５に示すように、回転操作部４が施錠回転位置にある際にはロック操作部６が切欠５から現れているために、該ロック操作部６への操作が可能であり、ロック操作部６をロック位置に保持しておくと、ロック操作部６が切欠５内に突出した状態となって回転操作部４を離隔方向へ引いても回転操作は禁止される。これに対し、図６に示すように、ロック操作部６を押し込んだ状態、すなわち、アンロック位置においては、ロック操作部６は切欠５の下方に沈降しているために、回転操作部４を引いてから回転させ、デッドボルト３ａを解錠位置に移行させることができる。
【００３４】
図７に本発明の第３の実施の形態を示す。この実施の形態において、サムターン装置Ａは、頭部ブロック部４ｃの後方に軸部４ｂを備えた回転操作部４と、後端に箱錠３のデッドボルト操作軸３ｂに連結されるサムターン軸４ａを突設させた内筒部材１１とを有する。
【００３５】
内筒部材１１は、有底筒形状に形成されてサムターンケース２内で回転自在であり、前端部にクラッチ部１０を構成する切欠部１１ａが形成される。
【００３６】
一方、上記回転操作部４は内筒部材１１内に空転自在で、かつ、長手方向移動自在に挿入される。この回転操作部４は、内筒部材１１内に収容される圧縮スプリング１２により前方に付勢されており、回転操作部４の前方への離脱を防止するために、サムターンケース２には、抜け止め段差２ｂが形成される。
【００３７】
また、回転操作部４にはバネ掛け片４ｄが形成され、軸部４ｂに巻回されるトーションスプリング１３の脚部１３ａが係止される。脚部１３ａは、図７、８に示すように、上記バネ掛け片４ｄを越えて内筒部材１１の切欠部１１ａに至っており、回転操作部４が内筒部材１１に対して所定の相対角度をなすように付勢される。
【００３８】
さらに、回転操作部４は、頭部ブロック部４ｃの後端にクラッチ部１０を構成する係止突部４ｅを備える。この係止突部４ｅは、図８（ｃ）に示すように、内筒部材１１の切欠部１１ａに係止可能で、かつ、回転操作部４が圧縮スプリング１２により前方に押し出された状態で、切欠部１１ａとは回転操作部の長手方向に適宜間隔離隔した位置に配置される。
【００３９】
したがってこの実施の形態において、図７、８に示す施錠状態において、回転操作部４は圧縮スプリング１２の作用により前方への摺動ストローク終端位置に保持されており、係止突部４ｅと切欠部１１ａとは被係止状態にある（クラッチ部１０の”断”状態）。この状態で回転操作部４に図８（ａ）において矢印Ａで示すように、解錠回転位置方向への回転操作力を与えても、回転操作部４のみが内筒部材１１に対して空転するだけで、サムターン軸４ａが形成される内筒部材１１を回転させることができないために、デッドボルト３ａを操作することはできない。また、回転操作部４への操作力を解除すると、トーションスプリング１３の作用により、回転操作部４は初期回転位置に復帰するため施錠状態が明確になる。
【００４０】
これに対し、解錠操作に際して、図９に示すように、一旦回転操作部４を押し込むと、係止突部４ｅが切欠部１１ａに係止し、回転操作部４と切欠部１１ａとが回転方向に連結される（クラッチ部１０の”接”状態）。この状態においては、回転操作部４に加えた解錠方向への回転操作力は内筒部材１１に伝達されるために、該内筒部材１１に形成されたサムターン軸４ａを回転させることが可能であり、デッドボルト３ａを解錠位置に移動させることができる。
【００４１】
このようにして回転操作部４を解錠回転位置まで回転させ、回転操作部４への操作力を解除すると、図１０に示すように、回転操作部４は圧縮スプリング１２の作用により再び前方摺動ストローク終端位置に移動し、この状態から再び回転操作部４を押し込んでクラッチ部１０を”接”状態とすると、箱錠３を施錠状態にすることができる。
【００４２】
さらに、この実施の形態において、回転操作部４への押し込み操作を要することなく施錠操作を行うことができるようにして、使い勝手を向上させるための一方向連結部１４が設けられる。一方向連結部１４は、回転操作部４の施錠回転位置側への回転操作に対してのみサムターン軸４ａに連結され、回転操作部４が施錠回転位置にあり、解錠回転位置側に回転しようとした場合には、非連結状態となるように構成され、止め輪１６により回転操作部４の軸部４ｂに固定され、サムターンケース２の内周壁に形成されたレバー規制凹部１５により回転範囲が規制されるレバー１４ａと、上記内筒部材１１の切欠部１１ａに形成されるレバー係止壁１４ｂとからなる。
【００４３】
レバー規制凹部１５は、レバー１４ａの回転範囲を規制することによって回転操作部４の施錠回転位置側及び解錠回転位置側の回転ストローク終端位置を決定し、さらに、回転操作部４の後方への移動を許容するために、少なくとも回転操作部４の移動ストローク全長に渡って同一断面形状に形成される。
【００４４】
したがってこの実施の形態において、図８（ａ）に示すように、回転操作部４が施錠回転位置にある状態では、レバー規制凹部１５の作用により回転操作部４は解錠回転位置側にのみ回転操作可能であり、かつ、この状態でレバー１４ａとレバー係止壁１４ｂとは、解錠回転位置方向に係止していない。このため、回転操作部４を解錠回転位置側に回転操作しても、内筒部材１１はレバー１４ａに追随回転することはなく、上述したように、回転操作部４を押し込んで、クラッチ部１０を”接”状態に移行させることによってのみサムターン軸４ａを回転させることができる。
【００４５】
これに対し、図１０に示すように、回転操作部４、すなわちレバー１４ａが解錠回転位置にある場合には、レバー１４ａとレバー係止壁１４ｂとはレバー１４ａの施錠回転位置方向に係止しているために、内筒部材１１はレバー１４ａの回転に追随することが可能であり、この状態では、回転操作部４に押し込み操作を与えなくともサムターン軸４ａを回転させることができる。
【００４６】
なお、以上においては、回転操作部４の押し込み操作によりクラッチ部１０を”接”状態に移行させる場合を示したが、回転操作部４を引っ張った際にクラッチ部１０が”接”状態に移行するように構成することも可能である。
【００４７】
また、回転操作部４の先端は、回転操作しやすいように平板形状に形成されているが、例えば、図１１に示すように、摘み４ｆの両側に曲率面４ｇを形成することもできる。このうように構成することにより、扉体１に開設した小孔から挿入された不正サムターン回し用のワイヤ等を回転操作部４に係止させることができなくなるために、扉体１外からワイヤ等を利用してサムターンを押し回しすることを完全に防止することができる。
【００４８】
【発明の効果】
以上の説明から明らかなように、本発明によれば、回転操作部への操作が規制可能であるために、防犯性能を向上させることができ、しかも、操作性を低下させることもない。
【図面の簡単な説明】
【図１】本発明を示す図で、（ａ）は断面図、（ｂ）は（ａ）の１Ｂ方向矢視図である。
【図２】ロック操作部の係止を解除した状態を示す図で、（ａ）は要部を示す断面図、（ｂ）は（ａ）の２Ｂ方向矢視図である。
【図３】回転操作部を解錠回転位置まで回転させた状態を示す図で、（ａ）は要部を示す断面図、（ｂ）は（ａ）の３Ｂ方向矢視図である。
【図４】解錠状態を示す図で、（ａ）は要部を示す断面図、（ｂ）は（ａ）の４Ｂ方向矢視図である。
【図５】本発明の第２の実施の形態を示す図で、（ａ）は要部を示す断面図、（ｂ）は（ａ）の５Ｂ方向矢視図である。
【図６】解錠状態を示す図で、（ａ）は要部を示す断面図、（ｂ）は（ａ）の６Ｂ方向矢視図である。
【図７】本発明の第３の実施の形態を示す図で、（ａ）は施錠状態の断面図、（ｂ）は（ａ）の７Ｂ方向矢視図である。
【図８】クラッチ部の動作を示す図で、（ａ）は図７（ａ）の８Ａ−８Ａ線断面図、（ｂ）は（ａ）の８Ｂ−８Ｂ線に沿ってサムターンケース２のみを切断した断面図、（ｃ）は図７（ａ）の８Ｃ−８Ｃ線断面図である。
【図９】回転操作部を押し込んだ状態を示す図で、（ａ）は図７（ａ）に対応する図、（ｂ）は図８（ｂ）に対応する図である。
【図１０】解錠状態を示す図で、（ａ）は図７（ａ）に対応する図、（ｂ）は図８（ａ）に対応する図である。
【図１１】回転操作部の変形例を示す図で、（ａ）は側面図、（ｂ）は正面図、（ｃ）は平面図である。
【符号の説明】
１　　　　扉体
２　　　　サムターンケース
３　　　　箱錠
３ａ　　　デッドボルト
４　　　　回転操作部
５　　　　係止部
６　　　　ロック操作部
７　　　　シリンダ錠
８　　　　解錠キー
１０　　　クラッチ部
Ａ　　　　サムターン装置
【図１】
2004068580.tif 000003
【図２】
2004068580.tif 000004
【図３】
2004068580.tif 000005
【図４】
2004068580.tif 000006
【図５】
2004068580.tif 000007
【図６】
2004068580.tif 000008
【図７】
2004068580.tif 000009
【図８】
2004068580.tif 000010
【図９】
2004068580.tif 000011
【図１０】
2004068580.tif 000012
【図１１】
2004068580.tif 000013